(57)【特許請求の範囲】
【請求項１】
ダクトに接続される口体を突設し、天井部に形成された開口部に室内側から挿入されて当該天井部に取り付けられる口体取付部材と、
送風装置を備え、前記開口部に室内側から挿入されて送風装置が前記口体取付部材と連通状態となるように前記天井部に取り付けられる換気扇本体とを具備し、
前記口体取付部材は、
下部位に設けられ、前記天井部の下面に当てられるフランジと、
少なくとも横方向に対向するように設けられた側板と、
この側板に設けられ、当該側板に形成された孔により前記口体取付部材内に開放される上下方向に延びる係合孔を形成した補強板と、
前記係合孔に挿入支持される支持片部を有して前記補強板に前記係合孔に沿って上下に変位可能で且つ前記開口部の内外方向に変位可能に設けられ、前記係止片部に設けられた止め部が前記補強板の内面に当接した状態で前記係合孔に係合することにより上方への変位を止める係止部を上部に有する固定部材と、
この固定部材の受け部の下端部に回動可能に連結され、前記固定部材の下方への移動により、前記フランジが前記天井部の下面に当てられた状態で前記天井部の上面に受けられる押え板と、
を備え、
更に、前記補強板の上下両側に上突部および下突部を設け、前記固定部材を上方に移動させると共に、前記押え板を上下反転させたとき、前記押え板の基端側が前記補強板の前記下突部に当接すると共に、押え板の先端部が前記固定部材の上部を介して前記補強板の前記上突部に当接し、前記固定部材の前記支持片部が前記補強板の内面側に当接することにより当該固定部材および押え板が静止保持される
ように構成してなるダクト用換気扇。
【発明の詳細な説明】
【０００１】
【発明の属する技術分野】
本発明は天井部に形成された開口部に室内側から挿入されて天井部に取り付けるダクト用換気扇に関する。
【０００２】
【従来の技術】
ダクト用換気扇は、天井部に形成された開口部に室内側から挿入されて当該開口部に取り付けられる。このダクト用換気扇では、ダクトを接続する排気口体を必要とするが、この排気口体を換気扇本体に取り付けておくと、その排気口体が邪魔になって換気扇本体を開口部に挿入することができなくなる。
【０００３】
そこで、従来では、図１６に示すように、口体取付板１に排気口体２を突設しておき、この口体取付板１を天井板３に形成された開口部４に挿入して当該口体取付板１の下端のフランジ１ａを木ねじ５によって開口部４の周縁部の矩形状木枠６に固定し、その後、送風装置を備えた換気扇本体（図示せず）を開口部４に室内側から挿入し、送風装置の吐出口が排気口体２に連通した状態にして木枠６に木ねじ（図示せず）によって固定するようにしている。
また、天井板３によっては木枠６が設けられていない場合がある。この場合には、図１７に示すように、天井板３に金属製のコ字金具８を嵌め込み、そして口体取付板１のフランジ１ａをコ字金具８に形成した孔９に通して天井板３に木ねじ５によって固定するようにしている。
【０００５】
しかしながら以上のような従来構成では、口体取付板１を木ねじ５で固定するため、工具（ドライバ）で木ねじ５を回して木枠６や天井板３にねじ込むという面倒な作業を必要とし、取付作業に手間がかかる。
【０００６】
また、口体取付板１を木枠６に固定する構成のものでは、その木枠６を天井部に組み込む作業が面倒である。この木枠６の組み込みを省略する場合には、補強のためにコ字形金具８を天井板３に嵌め込む必要があるが、このコ字形金具８は天井板３の厚さに応じた各種の大きさものを用意しておく必要があるため、コストが高くなるという問題がある。しかも、口体取付板１を木ねじ５で天井板３に固定する場合、木ねじ５を通すために、コ字形金具８の孔９と口体取付板１のフランジ１ａの孔１０とを合わせる必要があり、面倒である。
【０００７】
このように従来のダクト用換気扇では、口体取付板１を天井に取り付ける作業が面倒で、能率の悪いものであった。
本発明は上記の事情に鑑みてなされたもので、その目的は、天井部への取付作業を容易に行うことができるダクト用換気扇を提供するにある。
【０００８】
【課題を解決するための手段】
上記目的を達成するために本発明のダクト用換気扇は、
ダクトに接続される口体を突設し、天井部に形成された開口部に室内側から挿入されて当該天井部に取り付けられる口体取付部材と、
送風装置を備え、前記開口部に室内側から挿入されて送風装置が前記口体取付部材と連通状態となるように前記天井部に取り付けられる換気扇本体とを具備し、
前記口体取付部材は、
下部位に設けられ、前記天井部の下面に当てられるフランジと、
少なくとも横方向に対向するように設けられた側板と、
この側板に設けられ、当該側板に形成された孔により前記口体取付部材内に開放される上下方向に延びる係合孔を形成した補強板と、
前記係合孔に挿入支持される支持片部を有して前記補強板に前記係合孔に沿って上下に変位可能で且つ前記開口部の内外方向に変位可能に設けられ、前記係止片部に設けられた止め部が前記補強板の内面に当接した状態で前記係合孔に係合することにより上方への変位を止める係止部を上部に有する固定部材と、
この固定部材の受け部の下端部に回動可能に連結され、前記固定部材の下方への移動により、前記フランジが前記天井部の下面に当てられた状態で前記天井部の上面に受けられる押え板と、
を備え、
更に、前記補強板の上下両側に上突部および下突部を設け、前記固定部材を上方に移動させると共に、前記押え板を上下反転させたとき、前記押え板の基端側が前記補強板の前記下突部に当接すると共に、押え板の先端部が前記固定部材の上部を介して前記補強板の前記上突部に当接し、前記固定部材の前記支持片部が前記補強板の内面側に当接することにより当該固定部材および押え板が静止保持される
ように構成したことを特徴とするものである。
【０００９】
この構成によれば、口体取付部材を天井部の開口部に挿入した後、固定部材を下方に移動させると共に、外側に移動させると、押え板が天井部の上面に当てられると共に、上部の係止部が係合孔に係止されて固定部材の上方への変位を阻止する状態となるので、口体取付部材は固定部材によって天井部に取り付けられた状態となる。
【００１０】
【発明の実施の形態】
以下、本発明の第１の参考例を図１〜図６を参照しながら説明する。
図６に示すように、室の天井部としての天井板２１には、矩形状の開口部２２が形成されており、この開口部２２に口体取付部材２３および換気扇本体２４が取り付けられている。そして、換気扇本体２４の下側には、換気扇本体２４の下端開口部２２をその外周のフランジ２４ａと共にて覆う化粧カバー２５が取り付けられている。
【００１１】
上記口体取付部材２３には口体、例えば排気口体２６が設けられており、この排気口体２６に排気用のダクト（図示せず）が連結されている。これに対し、換気扇本体２４にはモータ２７に多翼ファン２８を取着してなる送風装置２９が設けられており、その多翼ファン２８はファンケーシング３０内に配置されている。そして、この送風装置２９の吸気口を構成するベルマウス３１は化粧カバー２５の通気口２５ａを介して室内に連通され、吐出口３１は排気口体２６に連通されている。
このようなダクト用換気扇において、送風装置２９が駆動されると、多翼ファン２８の送風作用によって室内の空気が化粧カバー２５の通気口２５ａからベルマウス３１を通じてファンケーシング３０内に吸引される。そして、ファンケーシング３０内に吸引された空気は吐出口３１から排気口体２６を介して図示しないダクトを通じて室外に排出される。
【００１３】
さて、口体取付部材２３は、木ねじを用いることなく天井板２１に固定されるようになっている。以下にその構成を説明する。まず、口体取付部材２３はプラスチック製のもので、図５に示すように、主板３２の両側に互いに対向する一対の側板３３を一体に形成したほぼコ字形の枠状をなしており、その下端部にはフランジ２３ａが一体に形成されている。そして、主板３２に前記排気口体２６が一体に突設され、また両側板３３に係合部としての上下方向に延びる長孔状の係合孔３４が一対ずつ形成されている。
【００１４】
上記側板３３の外側面部には、口体取付部材２３を天井板２１に固定するための固定部材３５（図３参照）が取り付けられている。この固定部材３５は金属製で、図４に示すように、基板部３６の両側に支持部としての支持片部３７を折曲形成した断面ほぼコ字状をなしており、支持片部３７には抜止め部としての止め片３７ａが切り起こし形成されている。また、基板部３６の上部の左右両側には、係止部としての一対の係止片部３８と、これら両係止片部３８間に位置する板ばね部３９とが形成されていると共に、基板部３６の下端部分はやや外側に折り曲げられた受け部としての受け片部４０が形成されている。
【００１５】
かかる固定部材３５の側板３３への取り付けは、一対の支持片部３７を一対の係合孔３４に挿入し、そして一対の支持片部３７を互いに近接させるように弾性変形させて止め片３７ａが係合孔３４を通過するように操作することによって行われる。止め片３７ａが係合孔３４を通過したところで一対の支持片部３７を元の状態に復元させると、止め片３７ａが係合孔３４の外側の縁部に係合して支持片部３７が係合孔３４から抜け止め状態となり、これにて固定部材３５が側板３３の外側面部に取り付けられる。
【００１６】
この取付状態では、固定部材３５は、係合孔３４に沿って上下方向および口体取付部材２３の内外方向に変位（スライド）可能で、止め片３７ａを側板３３の裏面に当接させた状態で固定部材３５を外側に変位させるようにすると、固定部材３５は止め片３７ａを中心にして外側方向に回動変位するように構成されている。
【００１７】
上記係止片部３８は、外側面が傾斜する先細形状に形成されており、先端の幅は係合孔３４の幅よりも狭く、基端は係合孔３４の幅よりも広くなっている。そして、固定部材３５が止め片３７ａを中心にして外側方向に回動変位すると、係止片部３８の先端が係合孔３４内に挿入されて板ばね部３９が側板３３に当たるようになり、更に固定部材３５が外側方向に回動変位すると、係止片部３８の傾斜面３８ａが係合孔３４の内側縁に当接するようになっている。
【００１８】
次に上記のように構成した口体取付部材２３を天井板２１へ取り付ける手順を説明する。まず、固定部材３５を上方に移動させ、そして図２に示すように口体取付部材２３内に押し込んだ状態にして固定部材３５の側板３３からの突出量を小さくする。この状態で口体取付部材２３を天井板２１の開口部２２内に室内側から挿入する。この挿入時、固定部材３５の側板３３からの突出量は小さくされているので、固定部材３５は側板３３と開口部３６との狭い隙間を支承なく通過する。
【００１９】
その後、口体取付部材２３のフランジ２３ａが天井板２１の下面に当たったところで固定部材３５を外側に突出させ、そして止め片３７ａを中心に外側方向に回動させて板ばね部３９が側板３３に当たった状態にして固定部材３５を下方に移動させる。この後、受け片部４０が天井板２１の上面に当たったところで、固定部材３５を更に外側に回動させて受け片部４０を天井板２１に沿って外側方向にスライドさせながら係止片部３８の傾斜面３８ｂが係合孔３４の内側縁部に当接させるようにする。
【００２０】
そして、口体取付部材２３を支えている手を離すと、口体取付部材２３の重量が固定部材３５に作用するため、係止片部３８の傾斜面３８ａが係合孔３４の内側縁部に食込んで固定部材３５が係合孔３４に沿って上方に不用意に移動しないように係止する状態となる。このように止め片３７ａが側板３３に当接した状態で受け片部４０が天井板２１に当接すると共に、係止片部３８が係合孔３４の側縁に食込むことによって、固定部材３５が口体取付部材２３の重量を受けるようになり、以上により図１に示すように口体取付部材２３が天井板２１に取り付けられる。
【００２１】
この後、換気扇本体２４を開口部２２内に室内側から挿入し、換気扇本体２４の吐出口３１形成面を口体取付部材２３の主板３２に密着させて吐出口３１を排気口体２６に連通させるようにして当該換気扇本体２４を木ねじ（図示せず）により天井板２１に固定する。そして、最後に化粧カバー２５を換気扇本体２４の下部に取り付け、以上によりダクト用換気扇の取り付けを終了する。
このように本参考例によれば、口体取付部材２３を木ねじを用いずに天井板２１に固定することができるので、面倒なねじ込み作業をすることなく、容易に取り付けることができる。
【００２３】
図７は本発明の第２の参考例を示すもので、上記第１の参考例との相違は、口体取付部材２３の一対の側板３３間を主板３２の反対側の端部において連結側板４１により連結して口体取付部材２３を矩形状に構成すると共に、この連結側板４１の下端も含めて全周にフランジ２３ａを連続して形成したところにある。
【００２４】
このように一対の側板３３間を連結側板４１によって連結すれば、側板３３が口体取付部材２３の重量を支える固定部材３５から押圧力を受けるという事情があっても、側板３３が内側に倒れるように変形する度合いが小さく、口体取付部材２３を強固に取り付けることができる。更に、フランジ２３ａが全周に連続して設けられていることから、口体取付部材２３の強度がより大きく、一層強固に取り付けることができる。
【００２５】
図８は本発明の第３の参考例を示すもので、前記第１の参考例との相違は取付部材２３の受け片部４０の先端部を更に外側に折曲して当接面部４０ａを設けたところにある。上記当接面部４０ａは固定部材３５によって口体取付部材２３を天井板２１に取り付けた状態となったとき、図８の如く、天井板２１に対して面接触するように構成されている。◎
このように構成した場合には、天井板２１に対する固定部材３５の接触面積が大きくなるので、天井板２１に固定部材３５が食込んだりするおそれがない。
【００２６】
図９および図１０は本発明の第４の参考例を示すもので、前記第１の参考例との相違は固定部材３５の下端部に押え板４２を回動可能に連結したところにある。すなわち、固定部材３５の下端部には円形の軸受部３５ａが形成され、この軸受部３５ａに押え板４２に形成された軸部４２ａが回動可能に挿入連結されている。
【００２７】
口体取付部材２３を開口部２２に挿入する際には、図９に示すように、押え板４２を上方に回動させて固定部材３５に重ねた状態に手などで保持する。そして、押え板４２および固定部材３５の上端部分が開口部２２を通過したところでその保持を解くと、押え板４２が下方に回動して天井板２１に当たり、最終的には図１０に示すように天井板２１に面接触するようになる。
このように構成した場合には、口体取付部材２３の重量が天井板２１に対してエッジではなく、押え板４２の広い面を介して作用するので、天井板２１に食込むようなことがない
【００２２】
図１１は本発明の第５の参考例を示すもので、これは上記の第４の参考例と同様に固定部材３５の下端部に押え板４２を回動可能に連結した構造において、その押え板４２の先端部を下向きにした状態において、当該先端部を外側となる方向に折曲したことを特徴とするものである。
このように押え板４２の先端部に折曲部４２ｂが形成されていれば、図ｌに示すように、押え板４２が開口部２２を通過した後に下方に回動させて垂下する状態にしても、固定部材３５を下方に移動させる時に先端の折曲部４２ｂが天井板２１に傾斜した状態で当たり、以後、押え板４２を外側へと変位させるように作用するので、押え板４２を確実に天井板２１に面接触させることができる。
【００３０】
図１２および図１３は本発明の第６の参考例を示すもので、前記第１の参考例との相違は口体取付部材２３の側板３３に補強板４３を取り付けたところにある。補強板４３は金属製のもので、上部にほぼコ字形の嵌合部４３ａが折曲形成されていると共に、下部に取付片４３ｂが折曲形成されている。そして、この補強板４３は、上部の嵌合部４３ａを側板３３の上端部に嵌合すると共に、下部の取付片４３ｂを側板３３に形成された取付孔３３ａに挿入することによって、側板３３の外側に取り付けられている。
【００３１】
側板３３には係合部としての上下に延びる一対の長孔状の係合孔４４が形成されている。側板３３のうち補強板４３の取付部分には矩形孔４５が形成されており、この矩形孔４５によって補強板４３の係合孔４４の形成部分が口体取付部材２３内に開放されている。そして、固定部材３５の係止片部３８は補強板４３の係合孔４４に挿入されている。
このように形成した場合には、口体取付部材２３がプラスチック製であっても、固定部材３５は金属製の補強板４３を介して口体取付部材２３の重量を受けるので、比較的大きな荷重が作用する部分が堅牢となり、口体取付部材２３を強固に取り付けることができる。
【００３３】
図１３は本発明の第７の参考例を示すもので、これは上記第６の参考例と同様に口体取付部材２３の側板３３に補強板４３を取り付けたものにおいて、その補強板４３の両側に立上り部４３ｃを折曲形成したところにある。
このように立上り部４３ｃを設けた場合には、補強板４３が変形し難くなるので、口体取付部材２３をより一層強固に取り付けることができる。
【００２２】
図１４および図１５は本発明の一実施例を示すもので、これは上記第７の参考例の立上り部４３ｃを有した補強板４３に固定部材３５を取り付け、そしてこの固定部材３５に前記第５の実施例に示した折曲部４２ｂ（なくとも良い）を有した押え板４２を回動可能に連結した構造を前提としている。
そして、この実施例は、立上り部４３ｃの下部に下突部４５を突設すると共に、補強板４３の上部に上突部として一対の係止片部３８に対応する一対の切起し片４６を形成したところにある。
【００３６】
この構成において、押え板４２は補強板４３より幅広であるとし、口体取付部材２３を開口部２２に挿入するに際して固定部材３５を上方に移動すると、図１４に示すように、押え板４２の上端部が下突部４５に当接して上下反転するように回動する。そして、基板部３６と支持片部３７との隙間内に補強板４３が挿入されるところまで固定部材３５を移動させると、係止片部３８が切起し片４６に乗り上げて支持片部３７を補強部材４３の内面に押し当てるようになる。
【００３７】
これにより、固定部材３５の軸受部４３が押え板４２の基端部を引っ張るように作用する。その結果、押え板４２の基端部が下突部４５に押し当てられると共に、押え板４２の先端部（図１５で上端部）が係止片部３８を介して切起し片４６に押し当てられる。このとき、切起し片４６、押え板４２のうち一方、或いは両方が若干弾性変形していることが好ましい。以上により固定部材３５、押え部材４２が側板３３の外側において、突出量が小の状態に保持されるようになる。このため、口体取付部材２３を開口部２２に挿入する作業が容易となる。なお、上記の固定部材３５、押え部材４２の突出量が少の状態の保持を解くには、固定部材３５を強制的に下方に移動させれば良い。
【００３８】
【発明の効果】
本発明によれば、口体取付部材を木ねじを使用することなく天井部に取り付けることができるので、ドライバなどの工具を用いて行う面倒なねじ込み作業を行わずとも済み、口体取付部材の取り付け作業を容易に行うことができる。また、固定部材および押え板を側板の外側面に突出量の小さい状態に保持できるので、口体取付部材を開口部に挿入する作業が容易となる。
【図面の簡単な説明】
【図１】  本発明の第１の参考例における口体取付部材を天井へ取り付けた状態で示す断面図
【図２】  口体取付部材を天井へ取り付ける途中の状態で示す断面図
【図３】  口体取付部材へ固定部材を取り付けた状態で示す斜視図
【図４】  固定部材の斜視図
【図５】  口体取付部材の斜視図
【図６】  全体の縦断面図
【図７】  本発明の第２の参考例を示す図５相当図
【図８】  本発明の第３の参考例を示す図１相当図
【図９】  本発明の第４の参考例を示す図２相当図
【図１０】  図８相当図
【図１１】  本発明の第５の参考例を示す図２相当図
【図１２】  本発明の第６の参考例を示す図５相当図
【図１３】  本発明の第７の参考例を示す補強部材の斜視図
【図１４】  本発明の一実施例を示す側面図
【図１５】  畳んだ状態で示す側面図
【図１６】  従来例を示す図１相当図
【図１７】  他の従来例を示す図１相当図
【符号の説明】
図中、２１は天井板、２２は開口部、２３は口体取付部材、２４は換気扇本体、２３ａはフランジ、２５は化粧カバー、２６は排気口体（口体）、２９は送風装置、３３は側板、３４は係合孔、３５は固定部材、３６は基板部、３７は支持片部、３８は係止片部（係止部）、３９は板ばね部、４０は受け片部（受け部）、４１は連結側板、４２は押え板、４３は補強板、４３ｃは立上り部、４４は係合孔（係合部）、４５は下突部、４６は切起し片（上突部）である。
【図１】
0004279415.tif 000002
【図２】
0004279415.tif 000003
【図３】
0004279415.tif 000004
【図４】
0004279415.tif 000005
【図５】
0004279415.tif 000006
【図６】
0004279415.tif 000007
【図７】
0004279415.tif 000008
【図８】
0004279415.tif 000009
【図９】
0004279415.tif 000010
【図１０】
0004279415.tif 000011
【図１１】
0004279415.tif 000012
【図１２】
0004279415.tif 000013
【図１３】
0004279415.tif 000014
【図１４】
0004279415.tif 000015
【図１５】
0004279415.tif 000016
【図１６】
0004279415.tif 000017
【図１７】
0004279415.tif 000018